(57)【特許請求の範囲】
【請求項１】
ボックス本体に形成されている矩形の収納部の開口を開閉可能なボックスのリッドであって、
開口の短手方向または長手方向を橋渡すように長手方向または短手方向に沿って開口を塞ぎ可能に並設された複数のメインブロックから構成されており、
複数のブロックの各一端は、ボックス本体の開口の縁に対して剛性を有する第１の回転軸の軸回りに回転可能に組み付けられており、
複数のブロックの他端には、凹部を介して肉薄部が形成されており、
各肉薄部は、伸縮性を有する第２の回転軸の軸回りに回転可能に組み付けられているボックスのリッド。
【請求項２】
請求項１に記載のボックスのリッドであって、
メインブロックの表面を覆うファブリック状の表皮と、メインブロックに着脱可能なサブブロックとが設けられており、
メインブロックとサブブロックとの間には、メインブロックの表面を覆った表皮の縁を挟み込み可能となっているボックスのリッド。
【発明の詳細な説明】
【技術分野】
【０００１】
本発明は、ボックスのリッドに関し、詳しくは、ボックス本体に形成されている収納部の開口を開閉可能なボックスのリッドに関する。
【背景技術】
【０００２】
従来、自動車１０１等の車両の運転席１０２と助手席１０３との間のフロアｆには、物品（図示しない）を収納可能な収納部である収納ボックス１１２を備えたコンソールボックス１０４が備えられている（図１２参照）。ここで、下記特許文献１には、この収納ボックスの開口を開閉可能なリッド（蓋）１２０を備えたコンソールボックス１０４が開示されている（図１３〜１４参照）。これにより、リッド１２０を閉じると収納ボックス１１２に収納した物品を目隠しできる。そのため、収納ボックスに収納した物品の露出を防止できる。したがって、収納ボックスに物品を収納したときのコンソールボックス１０４の見栄えを高めることができる。また、この収納ボックス１１２の開口１１２ａを閉じたリッド１２０を肘掛けとしても使用できる。
【先行技術文献】
【特許文献】
【０００３】
【特許文献１】特開２０１０−１７３４４０号公報
【発明の概要】
【発明が解決しようとする課題】
【０００４】
しかしながら、上述した特許文献１の技術では、収納ボックス１１２から物品を出し入れするためには、物品の大きさに関わらず、リッド１２０全体を開ける操作をしなければいけなかった。そのため、物品のサイズが小さい場合、物品のサイズに対してリッド１２０の開き量が大きくなってしまうことがあった。したがって、開けたリッド１２０を邪魔に感じてしまうことがあった。この問題を解決するために、リッド１２０を柔らかな素材（例えば、ウレタン等）から構成しておき、収納ボックス１１２から出し入れする物品が小さいときには、リッド１２０の一部を変形させて物品を出し入れすることが考案された。しかしながら、この考案では、リッド１２０に剛性が確保されていないため、収納ボックス１１２の開口１１２ａを閉じたリッド１２０を肘掛けとして使用できないという新たな問題が発生していた。
【０００５】
本発明は、このような課題を解決しようとするもので、その目的は、剛性を確保しつつ、収納ボックスからの物品の出し入れに必要な量だけ開閉できるボックスのリッドを提供することである。
【課題を解決するための手段】
【０００６】
本発明は、上記の目的を達成するためのものであって、以下のように構成されている。
請求項１に記載の発明は、ボックス本体に形成されている矩形の収納部の開口を開閉可能なボックスのリッドである。リッドは、開口の短手方向または長手方向を橋渡すように長手方向または短手方向に沿って開口を塞ぎ可能に並設された複数のメインブロックから構成されている。複数のブロックの各一端は、ボックス本体の開口の縁に対して剛性を有する第１の回転軸の軸回りに回転可能に組み付けられている。複数のブロックの他端には、凹部を介して肉薄部が形成されている。各肉薄部は、伸縮性を有する第２の回転軸の軸回りに回転可能に組み付けられている。
【０００７】
請求項１の発明によれば、リッドの一部のみ（例えば、前側のみ）を開けることができる。したがって、出し入れする物品のサイズに合わせた必要な量だけリッドを開閉できる。
【０００８】
また、請求項２に記載の発明は、請求項１に記載のボックスのリッドであって、メインブロックの表面を覆うファブリック状の表皮と、メインブロックに着脱可能なサブブロックとが設けられている。メインブロックとサブブロックとの間には、メインブロックの表面を覆った表皮の縁を挟み込み可能となっている。
【０００９】
請求項２の発明によれば、リッドの表面を覆った表皮の端末をリッドの裏面側でサブブロックによって目隠しできる。したがって、この端末を綺麗に処理できる。
【図面の簡単な説明】
【００１０】
【図１】本発明の実施例に係るコンソールボックスを適用した自動車の車内の斜視図である。
【図２】図１のコンソールボックスの拡大図である。
【図３】図２において、表皮を透過した状態を示している。
【図４】図２のコンソールボックスの分解図である。
【図５】図４のリッドの分解図である。
【図６】図５のメインブロックとサブブロックとの拡大図である。
【図７】図４のリッドの短手方向の縦断面図である。
【図８】図４のリッドの長手方向の縦断面図である。
【図９】図２のリッドの一部を開けた一例であり、表皮を透過した状態を示している。
【図１０】図９のＸ−Ｘ線の縦断面図である。
【図１１】図２のリッドの一部を開けた他の例であり、表皮を透過した状態を示している。
【図１２】従来技術に係るコンソールボックスを適用した自動車の車内の斜視図である。
【図１３】図１２のコンソールボックスの拡大図である。
【図１４】図１３のリッドを開けた一例を示す図である。
【発明を実施するための形態】
【００１１】
以下、本発明を実施するための形態を、図１〜１１を用いて説明する。なお、以下の説明にあたって、上、下、前、後、左、右とは、上述した図に記載した、上、下、前、後、左、右の方向、すなわち、自動車１を基準にしたときの上、下、前、後、左、右の方向を示している。
【００１２】
まず、図１〜８を参照して、本発明の実施例に係るコンソールボックス４の全体構成を説明する。このコンソールボックス４は、図１〜４からも明らかなように、主として、ボックス本体１０とリッド２０とから構成されている。以下に、これらボックス本体１０とリッド２０とを個別に説明する。
【００１３】
はじめに、ボックス本体１０から説明していく。このボックス本体１０は、上側から物品（図示しない）を収納可能（出し入れ可能）な矩形の収納ボックス（収納部）１２が形成されたボックス状の部材から構成されている（図４参照）。このボックス本体１０の収納ボックス１２の開口１２ａの縁における助手席３側の前後には、貫通孔１４ａを有するヒンジアーム１４が対を成すように形成されている。
【００１４】
ボックス本体１０は、このように構成されている。このように構成されているボックス本体１０は、剛性を有する合成樹脂から一体的に成形されている。なお、このボックス本体１０は、収納ボックス１２の長手方向が前後方向を成すように、自動車１の床フロアＦにおいて運転席２と助手席３との間に設置されている（図１参照）。
【００１５】
次に、リッド２０を説明する。このリッド２０は、上述したボックス本体１０の開口１２ａを開閉する蓋状の部材から構成されている。このリッド２０は、開口１２ａの左右方向（短手方向）の縁を橋渡すように前後方向（長手方向）に沿って開口１２ａを塞ぎ可能に並設された複数のメインブロック３０とから構成されている（図５参照）。
【００１６】
このメインブロック３０の下側には、後述するサブブロック４０を嵌め合い可能な切欠３２が形成されている（図６参照）。この切欠３２が形成された切欠面（下面）３２ａには、この切欠３２に嵌め合うサブブロック４０の一対の係合突起４２を係合可能な一対の係合穴３２ｂが形成されている（図７参照）。このメインブロック３０の一端３４には、剛性を有するシャフト６０を挿し込み可能な貫通孔３４ａが形成されている。
【００１７】
一方、このメインブロック３０の他端３６には、その前側に形成された円状の凹部３６ａを介して肉薄部３６ｃが形成されている（図８参照）。この肉薄部３６ｃには、伸縮性を有するゴムワイヤ７０を挿し込み可能な貫通孔３６ｄが形成されている。この貫通孔３６ｄの径ｒは、凹部３６ａの凹面３６ｂの径Ｒより小さくなるように設定されている。なお、この複数のメインブロック３０のうち、両端のメインブロック３０は、他のメインブロック３０より肉厚となるように形成されている（図３参照）。
【００１８】
これにより、この両端のメインブロック３０をボックス本体１０の開口１２ａの前後の縁に安定して載せることができる。複数のメインブロック３０は、このように構成されている。このように構成されている複数のメインブロック３０は、剛性を有する合成樹脂からそれぞれ一体的に成形されている。なお、この複数のメインブロック３０の各一端３４の貫通孔３４ａには、抜け防止が施された状態でシャフト６０が挿し込まれている。これにより、この複数のメインブロック３０の各一端３４は、シャフト６０の軸回りに回転可能に組み付けられていることとなっている。このシャフト６０が、特許請求の範囲に記載の「剛性を有する第１の回転軸」に相当する。
【００１９】
また、この複数のメインブロック３０の各他端３６の貫通孔３６ｄには、抜け防止が施された状態でゴムワイヤ７０が挿し込まれている。これにより、この複数のメインブロック３０の各他端３６も、ゴムワイヤ７０の軸回りに回転可能に組み付けられている（繋がっている）こととなっている。このゴムワイヤ７０が、特許請求の範囲に記載の「伸縮性を有する第２の回転軸」に相当する。そして、この複数のメインブロック３０は、その表面がファブリック状の表皮５０によって覆われている（カバーリングされている）。
【００２０】
なお、この覆った表皮５０の端末（縁）は、メインブロック３０の裏面側に巻き込ませてサブブロック４０による係合（メインブロック３０の係合穴３２ｂとサブブロック４０の係合突起４２とによる係合）によって切欠３２に挟み込まれている。この係合が、特許請求の範囲に記載の「着脱」に相当する。リッド２０は、このように構成されている。このように構成されているリッド２０は、そのシャフト６０の両端がボックス本体１０の一対のヒンジアーム１４の各貫通孔１４ａに回転可能に組み付けられている。これらボックス本体１０とリッド２０とからコンソールボックス４は構成されている。
【００２１】
次に、図３、９〜１０を参照して、上述したコンソールボックス４の作用を説明する。図３に示すように、収納ボックス１２の開口１２ａを閉じたリッド２０の閉じ状態では、リッド２０の複数のメインブロック３０が開口１２ａの左右方向の縁を橋渡す格好となっている。このリッド２０を構成する複数のメインブロック３０は、既に説明したように、剛性を有する合成樹脂からそれぞれ一体的に成形されている。そのため、従来技術の説明と同様に、この開口１２ａを閉じたリッド２０を肘掛けとして使用できる。
【００２２】
また、既に説明したように、リッド２０を構成する複数のメインブロック３０の各他端３６は、ゴムワイヤ７０によって繋がっている。また、この複数のメインブロック３０の各他端３６は、凹部３６ａが形成されている。これらにより、例えば、図９に示すように、リッド２０の一部（この例では、前側）を持ち上げると（シャフト６０の軸回りに回転させると）、すなわち、複数のメインブロック３０のうちの一部（この例では、前側）のメインブロック３０を持ち上げると（シャフト６０の軸回りに回転させると）、この持ち上げていない残りの（この例では、後側の）メインブロック３０の自重によってゴムワイヤ７０が伸びることとなる。
【００２３】
そのため、この伸びたゴムワイヤ７０が持ち上げていない残りの（この例では、後側の）メインブロック３０の凹部３６ａに入り込むこととなる（図１０参照）。したがって、この持ち上げていない残りの（この例では、後側の）メインブロック３０において、持ち上げた側（この例では、前側）から持ち上げていない側（この例では、後側）に向けて徐々に閉ざされることとなる。すなわち、リッド２０の一部のみ（この例では、前側のみ）を開けることができる。なお、これらの持ち上げ操作を解消すると、開けたリッド２０が閉じ状態に戻される。
【００２４】
本発明の実施例に係るコンソールボックス４は、上述したように構成されている。この構成によれば、リッド２０は、開口１２ａの左右方向（短手方向）の縁を橋渡すように前後方向（長手方向）に沿って開口１２ａを塞ぎ可能に並設された複数（この例では、４４個）のメインブロック３０とから構成されている。この複数のメインブロック３０の各一端３４の貫通孔３４ａには、抜け防止が施された状態でシャフト６０が挿し込まれている。また、このメインブロック３０の他端３６には、その前側に形成された円状の凹部３６ａを介して肉薄部３６ｃが形成されている。この肉薄部３６ｃには、伸縮性を有するゴムワイヤ７０を挿し込み可能な貫通孔３６ｄが形成されている。また、この複数のメインブロック３０の各他端３６の貫通孔３６ｄには、抜け防止が施された状態でゴムワイヤ７０が挿し込まれている。そのため、リッド２０の一部のみ（例えば、前側のみ）を開けることができる。したがって、出し入れする物品のサイズに合わせた必要な量だけリッド２０を開閉できる。
【００２５】
また、この構成によれば、複数のメインブロック３０は、その表面がファブリック状の表皮５０によって覆われている（カバーリングされている）。この覆った表皮５０の端末（縁）は、メインブロック３０の裏面側に巻き込ませてサブブロック４０によって切欠３２に挟み込まれている。そのため、リッド２０の表面を覆った表皮５０の端末をリッド２０の裏面側でサブブロック４０によって目隠しできる。したがって、この端末を綺麗に処理できる。
【００２６】
上述した内容は、あくまでも本発明の一実施の形態に関するものであって、本発明が上記内容に限定されることを意味するものではない。
【００２７】
実施例では、「リッド」が「コンソールボックス４のボックス本体１０の開口１２ａを開閉可能なリッド２０」である形態を説明した。しかし、これに限定されるものでなく、「ボックス本体」が「インストルメントパネルに形成されたアッパーボックス本体の開口を開閉可能なリッド、ラゲージのバックボードの開口を開閉するリッド等」であっても構わない。
【００２８】
また、実施例では、「伸縮性を有する第２の回転軸」が「ゴムワイヤ７０」である形態を説明した。しかし、これに限定されるものでなく、「伸縮性を有する第２の回転軸」が「伸縮性を有するワイヤ（例えば、エラストマで形成されたワイヤ、ポリウレタンで形成されたワイヤ）等」であっても構わない。また、ワイヤそのものに伸縮性がなくても構わない。その場合、ワイヤの一端が巻取装置に締結され、この巻取装置によってワイヤに伸縮性を持たせても構わない。
【００２９】
また、実施例では、「リッド２０を持ち上げる一部」が「リッド２０の前側」である形態を説明した。しかし、これに限定されるものでなく、「リッド２０を持ち上げる一部」が「リッド２０の真ん中側」であっても構わない（図１１参照）。もちろん、「リッド２０を持ち上げる一部」が「リッド２０の後側」であっても構わない。
【００３０】
また、実施例では、「開口の短手方向または長手方向を橋渡すように長手方向または短手方向に沿って開口を塞ぎ可能に並設された複数のメインブロック」が「開口１２ａの左右方向の縁を橋渡すように前後方向に沿って開口１２ａを塞ぎ可能に並設された複数のメインブロック３０」である形態を説明した。しかし、これに限定されるものでなく、「開口１２ａの前後方向の縁を橋渡すように左右方向に沿って開口１２ａを塞ぎ可能に並設された複数のメインブロック３０」であっても構わない。
【符号の説明】
【００３１】
４      コンソールボックス（ボックス）
１０    ボックス本体
１２    収納ボックス（収納部）
１２ａ  開口
２０    リッド
３０    メインブロック
３４    一端
３６    他端
３６ａ  凹部
３６ｃ  肉薄部
４０    サブブロック
６０    シャフト（第１の回転軸）
７０    ゴムワイヤ（第２の回転軸）
【図１】
0006661461.tif 000002
【図２】
0006661461.tif 000003
【図３】
0006661461.tif 000004
【図４】
0006661461.tif 000005
【図５】
0006661461.tif 000006
【図６】
0006661461.tif 000007
【図７】
0006661461.tif 000008
【図８】
0006661461.tif 000009
【図９】
0006661461.tif 000010
【図１０】
0006661461.tif 000011
【図１１】
0006661461.tif 000012
【図１２】
0006661461.tif 000013
【図１３】
0006661461.tif 000014
【図１４】
0006661461.tif 000015